(57)【要約】      （修正有）【課題】印刷機を用いて用紙に印刷することなく計数可能な印刷機を提供する。【解決手段】印刷機は、給紙装置により搬送される用紙に印刷しつつ、下流側の排紙装置へ搬送する印刷部と、前記給紙装置により搬送される前記用紙の計数を行う計数部を備えた前記印刷機において、印刷ドラムを備えた印刷ユニットと交換することにより、前記用紙を印刷することなく前記排紙装置へ搬送する搬送ユニット７３を備えてなる。また、搬送ユニット７３は、前記印刷ドラムと略同径で、インク通過用孔が未形成の搬送ドラム７４を備えてなる。【選択図】図４
2014097655.tif 000002
【特許請求の範囲】
【請求項１】
給紙装置により搬送される用紙に印刷しつつ、下流側の排紙装置へ搬送する印刷部と、給紙装置により搬送される用紙の計数を行う計数部を備えた印刷機において、
印刷ドラムを備えた印刷ユニットと交換することにより、用紙を印刷することなく前記排紙装置へ搬送する搬送ユニットを備えたことを特徴とする印刷機。
【請求項２】
搬送ユニットは、印刷ドラムと略同径で、インク通過用孔が未形成の搬送ドラムを備えてなることを特徴とする請求項１に記載の印刷機。
【請求項３】
印刷機本体に対し、印刷ユニットと搬送ユニットのいずれが装着されたかを識別する識別手段を備え、
前記識別手段の識別結果に基づいて、用紙に印刷する印刷モードと用紙を印刷することなく下流側へ搬送する計数モードとを切り替えるよう制御する制御装置を備えたことを特徴とする請求項１または請求項２に記載の印刷機。
【請求項４】
給紙装置により搬送される用紙に印刷しつつ、下流側の排紙装置へ搬送する印刷部と、給紙装置により搬送される用紙の計数を行う計数部を備えた印刷機において、未製版の原紙を印刷ドラムに装着することにより、用紙を印刷することなく排紙装置へ搬送することを特徴とする印刷機。
【請求項５】
用紙に印刷する印刷モードと、用紙を印刷することなく下流側へ搬送する計数モードとのいずれの処理を実行させるかを、ユーザに選定させるモード選定手段を備え、
前記モード選定手段の選定に基づき印刷モードと計数モードとを切り替えるよう制御する制御装置を備えたことを特徴とする請求項４に記載の印刷機。
【請求項６】
モード選定手段は、印刷ドラムを備えた印刷ユニットまたは印刷機本体のいずれかに設けられたことを特徴とする請求項５に記載の印刷機。
【請求項７】
用紙に印刷する印刷モードと用紙を印刷することなく下流側へ搬送する計数モードとを切り替えるよう制御する制御装置を備え、
計数モードは、給紙装置の給紙台上に積載された全ての用紙を計数する積載量計数モードと、設定枚数の用紙を計数し終えた時点で計数動作を停止する設定量計数モードとの少なくともいずれかを備えたことを特徴とする請求項１乃至請求項６のいずれか一項に記載の印刷機。
【請求項８】
用紙に印刷する印刷モードと用紙を印刷することなく下流側へ搬送する計数モードとを切り替えるよう制御する制御装置を備え、
制御装置は、計数モードを実行している場合に、操作パネルにおける印刷状態の調整、製版及び排版に関する項目の少なくともいずれか１つを、選定不可とするよう制御することを特徴とする請求項１乃至請求項７のいずれか一項に記載の印刷機。
【請求項９】
用紙に印刷する印刷モードと用紙を印刷することなく下流側へ搬送する計数モードとを切り替えるよう制御する制御装置を備え、
制御装置は、計数モードにおける用紙の搬送速度を、印刷モードにおける搬送速度より、減速及び／または増速可能に制御することを特徴とする請求項１乃至請求項８のいずれか一項に記載の印刷機。
【請求項１０】
給紙装置の給紙台上における用紙の積載順を、逆順に積替えて排紙装置の排紙台上に積載することを特徴とする請求項1乃至請求項９のいずれか一項に記載の印刷機。
【発明の詳細な説明】
【技術分野】
【０００１】
本発明は印刷機に関するものである。
【背景技術】
【０００２】
通常、印刷機は、給紙装置により搬送される用紙に印刷しつつ、下流側の排紙装置へ搬送する印刷部と、給紙装置により搬送される用紙の計数を行う計数部を備える。下記特許文献１、２には、このような印刷機に関する記載がある。この特許文献１、２に記載の印刷機では、印刷の際に計数部で計数を行う。
【先行技術文献】
【特許文献】
【０００３】
【特許文献１】特開昭４９-６２２１０号公報
【特許文献２】特開２００９-２８９６０号公報
【発明の概要】
【発明が解決しようとする課題】
【０００４】
しかし、従来の印刷機では、印刷することなく計数することが想定されていない。大量に印刷され保管されていたチラシや葉書、会社の各部門や学校の各クラスへの配布物等を、印刷することなく必要量計数したい場合に、手作業で計数作業を実施すると非常に手間がかかる上、誤って計数することもある。もし、計数専用の装置があればこれを使用して短時間で正確に計数できる。しかし、そのような装置がなく、新たに購入して設置しなければならないとすると、購入コストがかかり、別途設置スペースが必要になり、保守管理しなければならなくなったりする。
【０００５】
本発明は上記した課題を解決するものであり、印刷機を用いて用紙に印刷することなく計数可能な印刷機の提供を目的とする。
【課題を解決するための手段】
【０００６】
上記目的を達成するために、本発明にかかる印刷機は、給紙装置により搬送される用紙に印刷しつつ、下流側の排紙装置へ搬送する印刷部と、給紙装置により搬送される用紙の計数を行う計数部を備えた印刷機において、印刷ドラムを備えた印刷ユニットと交換することにより、用紙を印刷することなく前記排紙装置へ搬送する搬送ユニットを備えてなる。
【０００７】
また、前記構成において、搬送ユニットは、印刷ドラムと略同径で、インク通過用孔が未形成の搬送ドラムを備えてなる。
【０００８】
そして、前記各構成において、印刷機本体に対し、印刷ドラムと搬送ユニットのいずれが装着されたかを識別する識別手段を備え、前記識別手段の識別結果に基づいて、用紙に印刷する印刷モードと用紙を印刷することなく下流側へ搬送する計数モードとを切り替えるよう制御する制御装置を備えた。
【０００９】
更に、本発明にかかる印刷機は、給紙装置により搬送される用紙に印刷しつつ、下流側の排紙装置へ搬送する印刷部と、給紙装置により搬送される用紙の計数を行う計数部を備えた印刷機において、未製版の原紙を印刷ドラムに装着することにより、用紙を印刷することなく排紙装置へ搬送する。
【００１０】
また、前記構成において、用紙に印刷する印刷モードと、用紙を印刷することなく下流側へ搬送する計数モードとのいずれの処理を実行させるかを、ユーザに選定させるモード選定手段を備え、前記モード選定手段の選定に基づき印刷モードと計数モードとを切り替えるよう制御する制御装置を備えた。
【００１１】
そして、前記構成において、モード選定手段は、印刷ドラムを備えた印刷ユニットまたは印刷機本体のいずれかに設けられてなる。
【００１２】
更に、前記各構成において、用紙に印刷する印刷モードと用紙を印刷することなく下流側へ搬送する計数モードとを切り替えるよう制御する制御装置を備え、
計数モードは、給紙装置の給紙台上に積載された全ての用紙を計数する積載量計数モードと、設定枚数の用紙を計数し終えた時点で計数動作を停止する設定量計数モードとの少なくともいずれかを備えてなる。
【００１３】
更に、前記各構成において、用紙に印刷する印刷モードと用紙を印刷することなく下流側へ搬送する計数モードとを切り替えるよう制御する制御装置を備え、制御装置は、計数モードを実行している場合に、操作パネルにおける印刷状態の調整、製版及び排版に関する項目の少なくともいずれか１つを、選定不可とするよう制御する。
【００１４】
更に、前記各構成において、用紙に印刷する印刷モードと用紙を印刷することなく下流側へ搬送する計数モードとを切り替えるよう制御する制御装置を備え、
制御装置は、計数モードにおける用紙の搬送速度を、印刷モードにおける搬送速度より、減速及び／または増速可能に制御する。
【００１５】
更に、前記各構成において、給紙装置の給紙台上における用紙の積載順を、逆順に積替えて排紙装置の排紙台上に積載する。
【発明の効果】
【００１６】
本発明にかかる印刷機によれば、給紙装置により搬送される用紙に印刷しつつ、下流側の排紙装置へ搬送する印刷部と、給紙装置により搬送される用紙の計数を行う計数部を備えた印刷機において、印刷ドラムを備えた印刷ユニットと交換することにより、用紙を印刷することなく前記排紙装置へ搬送する搬送ユニットを備えたので、すでに印刷された用紙や未印刷の用紙を計数したい場合に、印刷機本体に搬送ユニットを装着することで、印刷機の計数機能を利用して用紙に印刷することなく計数を行うことができる。
【００１７】
また、搬送ユニットは、印刷ドラムと略同径で、インク通過用孔が未形成の搬送ドラムを備えてなる場合は、印刷ドラムの駆動機構を変更することなく搬送ドラムの駆動に使用可能である。
【００１８】
更に、印刷機本体に対し、印刷ユニットと搬送ユニットのいずれが装着されたかを識別する識別手段を備え、前記識別手段の識別結果に基づいて、用紙に印刷する印刷モードと用紙を計数し印刷することなく下流側へ搬送する計数モードとを切り替えるよう制御する制御装置を備えた場合は、ユーザが印刷モードと計数モードの切り替え設定を操作しなくても自動的にモードが切り替わる。
【００１９】
また、本発明にかかる印刷機によれば、給紙装置により搬送される用紙に印刷しつつ、下流側の排紙装置へ搬送する印刷部と、給紙装置により搬送される用紙の計数を行う計数部を備えた印刷機において、未製版の原紙を印刷ドラムに装着することにより、用紙を印刷することなく排紙装置へ搬送するので、印刷機を用いて用紙を汚さずに計数可能である。
【００２０】
また、用紙に印刷する印刷モードと、用紙を印刷することなく下流側へ搬送する計数モードとのいずれの処理を実行させるかを、ユーザに選定させるモード選定手段を備え、前記モード選定手段の選定に基づき印刷モードと計数モードとを切り替えるよう制御する制御装置を備えた場合は、ユーザは印刷機を用いた用紙の計数動作を容易に選定することができる。
【００２１】
そして、モード選定手段は、印刷ドラムを備えた印刷ユニットまたは印刷機本体のいずれかに設けられた場合は、ユーザは更に容易に計数動作を選定可能である。
【００２２】
更に、計数モードは、給紙装置の給紙台上に積載された全ての用紙を計数する積載量計数モードと、設定枚数の用紙を計数し終えた時点で計数動作を停止する設定量計数モードとの少なくともいずれかを備えた場合は、ユーザの希望する計数方法を容易に選定可能である。
【００２３】
更に、制御装置は、計数モードを実行している場合に、操作パネルにおける用紙の印刷調整に関する項目を、選定不可とするよう制御する場合は、ユーザの誤った操作を防止可能である。
【００２４】
更に、制御装置は、計数モードにおける用紙の搬送速度を、印刷モードにおける搬送速度より、減速及び／または増速可能に制御する場合は、計数処理を実行する際、印刷処理のときに比較して、よりユーザの希望する用紙搬送速度に調整することができる。
【００２５】
更に、給紙装置の給紙台上における用紙の積載順を、逆順に積替えて排紙装置の排紙台上に積載する場合は、用紙の積載順序を逆にしたいときに、短時間で容易に積載順を変更することができる。
【図面の簡単な説明】
【００２６】
【図１】本発明の一実施形態に係る印刷機の構成外略図である。
【図２】前記印刷機の印刷ユニットの斜視図である。
【図３】前記印刷ユニットの一部の拡大断面図である。
【図４】前記印刷機の搬送ユニットの斜視図である。
【図５】前記搬送ユニットの一部の拡大断面図である。
【図６】前記印刷機の操作パネルの平面図である。
【図７】前記操作パネルの液晶表示部の平面図である。
【発明を実施するための形態】
【００２７】
（第１の実施形態）
以下、本発明の実施の形態を図面に基づいて説明する。図１は、印刷機の構成外略図であり、説明の都合上、用紙Ｐの搬送方向Ｆの上流側を「後側」、用紙搬送方向Ｆの下流側を「前側」と称する。また、用紙搬送方向Ｆと直交する水平方向である用紙幅方向を「左右方向」として、以下説明する。図１に示すように、印刷機本体１には、後端部に給紙装置２が設けられ、前端部に排紙装置３が設けられ、上側に画像読取装置４が設けられている。印刷機本体１内には、前後方向の概ね中間部に印刷部５が設けられ、該印刷部５の上部後側には製版装置６が設けられ、印刷部５の上部前側には排版装置７が設けられている。
【００２８】
給紙装置２の前端部には、給紙ローラ３１及び捌き板３２が配置されており、給紙台３３上に積載された印刷用紙Ｐを、上から一枚ずつ供給するようになっている。
【００２９】
排紙装置３は、排紙ベルト２１と、ファン２２と、排紙台２３とを備えており、ファン２２により排紙ベルト２１上の用紙Ｐを排紙ベルト２１に吸着し、排紙台２３上へ排出するようになっている。
【００３０】
画像読取装置４は、ガラスの原稿台（図示せず）に載置された原稿の画像を読み取り、画像データを生成する。画像データは、外部のコンピュータから受信するようにしてもよい。
【００３１】
製版装置６は、製版用のマスターロール１３及びサーマルヘッド１４を備えている。サーマルヘッド１４は、画像読取装置４で生成した画像データに基づいて、マスターロール１３から繰り出された原紙Ｎを穿孔して製版する。サーマルヘッド１４には対向してプラテンローラ２７が配置される。製版装置６には更に、プラテンローラ２７の下流側に、切断具２８、原紙搬送ローラ３０が配置されている。切断具２８は回転刃であり、製版用紙搬送経路を横断する方向に、回転刃モータによって往復駆動されるようになっている。
【００３２】
排版装置７は、引込みローラ１６及び巻取りローラ１７等を備えており、前記印刷ドラム１１に装着された使用済みの原紙Ｎを取り外し、引込みローラ１６で排版装置７内部に引き込み、排版ロールとして巻き取るようになっている。
【００３３】
印刷部５は、印刷ユニット２５、押圧ローラ１２、タイミングローラ１８、ブローファン６７を備える。図２は、印刷ユニット２５の斜視図である。図３は、印刷ユニット２５下部および押圧ローラ１２の拡大断面図である。印刷ユニット２５は、印刷ドラム１１と、インク供給装置５２とを備えた孔版印刷用ユニットにより構成される。印刷ドラム１１は、製版装置６から送られた製版済みの原紙Ｎを外周面に巻回する。印刷ドラム１１の内側には、インクローラ１０とスキージローラ１９が設置されている。インクローラ１０は印刷ドラム１１に内接し、スキージローラ１９はインクローラ１０に転接する。
【００３４】
インクローラ１０とスキージローラ１９の転接部にインク溜まり部４０が形成される。印刷ドラム１１の周壁には多数のインク通過用の孔４７が形成され、印刷ドラム１１の外周面に、可撓性のスクリーン３８が巻回され固定されている。また、印刷ドラム１１の周壁の所定箇所に左右方向に延びるクランプ５４が設けられる。クランプ５４は、製版後の原紙Ｎの端部を挟持する。製版後の原紙Ｎは、端部をクランプ５４により固定され、印刷ドラム１１の回転に伴ってスクリーン３８の外側に巻回される。
【００３５】
インク供給装置５２は、印刷ドラム１１の内方のインク溜り部４０に上方からインクを供給する。インク供給装置５２は、インクボトル５１、ボトル装着部４９、インク供給配管５５、インクポンプを備える。ボトル装着部４９は、インクボトル５１が装着される。インク供給配管５５は、インクポンプ(図示せず)の駆動によりインクボトル５１内のインクを印刷ドラム１１内側のインク溜まり部４０の上方へと送る配管である。
【００３６】
インク供給装置５２は印刷ユニット２５の支持枠体５６に固定されている。支持枠体５６は、更に、電気コネクタ５８及び把手５９が設けられる。電気コネクタ５８は、印刷機本体１側に設けられた電気コネクタ（図示せず）に接続されることで、インクポンプを駆動する電力を供給する。
【００３７】
印刷ユニット２５は、印刷機本体１に対し着脱自在に構成される。図１に示すように、印刷ユニット２５は、印刷機本体１側に設けられた装着部６１に装着される。装着部６１は、左右方向に伸びる前後一対の案内レール６２を備えている。そして、印刷ユニット２５の支持枠体５６を構成する一対のドラム支持部材６４が、伸縮自在の案内レール６２に案内され、支持されることで、装着部６１に挿入、引き出し可能となっている。
【００３８】
印刷ユニット２５が装着部６１に装着されると、印刷ドラム１１は、図示しない適宜の動力伝達機構を介して印刷機本体１側に設置されたモータ等の駆動装置に連動連結される。これより、印刷ドラム１１は、図１において反時計回りに回転可能となる。また、インクローラ１０は、前記駆動装置に適宜の動力伝達機構を介して連動連結され、印刷ドラム１１の回転動作と同期して回転される。
【００３９】
また、印刷ユニット２５の装着部６１への装着により、印刷ユニット２５側の電気コネクタ５８と印刷装置本体１側に設けられた電気コネクタとが接続される。印刷機本体１に設けられた電気コネクタは、係合部材を構成し、印刷ドラム１１側の電気コネクタ５８は、印刷機本体１側の係合部材に係合可能な被係合部材を構成する。そして、係合部材と被係合部材とが係合することで、印刷機本体１に印刷ユニット２５が装着されたことが検出される。
【００４０】
印刷ユニット２５が装着部６１へ装着される際、印刷ドラム１１の回転角度は、図１において破線で示すようにクランプ５４を設けた部分が最も高い位置乃至その近傍とされる。そして、その後印刷が行われる際には、印刷における製版動作をより短時間で処理するために、印刷ドラム１１の回転角度は、図１において実線で示すように、クランプ５４を設けた部分が排版装置７の引込みローラ１６設置位置に最も近接する角度で回転停止する。
【００４１】
押圧ローラ１２は、印刷ドラム１１に下方から圧接可能に対向し、上下方向移動可能となっている。タイミングローラ１８は、印刷部５の後部近傍に上下一対配置されている。該タイミングローラ１８は印刷ドラム１１の駆動と同期して適宜タイミングで回転し、印刷用紙Ｐを印刷部５へ送り込むようになっている。
【００４２】
給紙装置２の給紙台３３から排紙装置３の排紙台２３に至る用紙搬送路Ｓには、複数箇所に用紙センサ６６が設置され、用紙Ｐの搬送状態が随時検出され,監視される。
【００４３】
更に、本実施形態にかかる印刷機Ｉには、印刷ドラム１１を備えた印刷ユニット２５と交換することにより、用紙Ｐを印刷することなく排紙装置３へ搬送する搬送ユニット７３を備えている。搬送ユニット７３は、給紙装置２により搬送される用紙Ｐを印刷することなく排紙装置３へ搬送する。搬送ユニット７３は、装着部６１に装着可能である。
【００４４】
図４は、搬送ユニット７３の斜視図である。図５は、搬送ユニット７３下部及び押圧ローラ１２の拡大断面図である。搬送ユニット７３は、搬送ドラム７４、把手７６、電気コネクタ７７、支持枠体７８を備える。搬送ユニット７３は、用紙Ｐの印刷を行わないので、印刷ユニット２５が備えるインクローラ１０、スキージローラ１９、インク供給装置５２を備えていない。
【００４５】
搬送ドラム７４は、印刷ドラム１１と略同径で、略同じ大きさであり、印刷ドラム１１と同様に、適宜の動力伝達機構を介して印刷機本体１側に設置されたモータ等の駆動装置に連動連結され、回転可能となる。しかし、搬送ドラム７４の周壁は平滑面とされ、印刷ドラム１１のような多数のインク通過用孔４７は未形成で、スクリーン３８も巻回されていない。また、搬送ドラム７４には、製版後の原紙Ｎが巻回されることはないので、原紙Ｎを固定するクランプは設けられていない。
【００４６】
給紙装置２は、給紙台３３上に積載された用紙Ｐを上から１枚ずつ分離し、搬送ユニット７３に搬送する。搬送された用紙Ｐは、タイミングローラ１８、および搬送ドラム７４と押圧ローラ１２の間に挟まれ、印刷されることなく下流側の排紙装置３へ搬送される。この間、用紙搬送路Ｓに設けた複数の用紙センサ６６により用紙Ｐの搬送状態が検出され、前側の用紙センサ６６ａが用紙Ｐの後端を検出することで制御装置８９に用紙Ｐの計数を行わせる。排紙装置３では、搬送ユニット７３より送られてきた用紙Ｐが排紙台２３上に１枚ずつ積載される。これより、用紙Ｐは、給紙装置２の給紙台３３上における用紙Ｐの積載順を、逆順に積替えられて排紙装置３の排紙台２３上に積載されることとなる。
【００４７】
電気コネクタ７７は、搬送ユニット７３にインクポンプが設置されないためこれらに電力を供給することもない。この電気コネクタ７７は、印刷機本体１に設けられた係合部材としての電気コネクタに係合可能な被係合部材を構成する。そして、係合部材と被係合部材とが係合することで、印刷機本体１に搬送ユニット７３が装着されたことが検出される。
【００４８】
支持枠体７８は印刷機本体１の案内レール６２に係合可能な前後一対のドラム支持部材７９を備える。また、把手７６及び電気コネクタ７７は支持枠体７８に固定される。搬送ドラム７４は、搬送ユニット７３が装着部６１へ装着されるときと、その後の計数動作で搬送ドラム７４の回転が停止されるときとで、同じ回転角度を維持している。
【００４９】
図６を参照して、印刷機Ｉの操作パネル８１を説明する。操作パネル８１には製版キー８３、テンキー８４、スタートキー８５、ストップキー８６、テストプリントキー９４、印刷濃さ調整キー９１、用紙Ｐにおける画像の印刷位置調整キー９２、用紙搬送速度調整キー９３、液晶表示部８７等が設けられている。
【００５０】
製版キー８３は、使用済みの原紙Ｎを排版装置７に回収させるとともに、製版装置６に新たな原紙Ｎの製版動作を開始させ、印刷ドラム１１に巻回する起動設定手段として機能する。テンキー８４は、印刷枚数及び計数量、組数等の置数を行う置数設定手段として機能する。スタートキー８５は、製版済みの原紙Ｎが巻回された印刷ドラム１１を駆動装置により回転し、給紙装置２により搬送される用紙Ｐに印刷する印刷処理動作を開始する起動設定手段として機能する。また、このスタートキー８５は、給紙装置２により搬送される用紙Ｐの計数を行い、該用紙Ｐを印刷することなく排紙装置３へ搬送する計数処理動作を開始する起動設定手段としても機能する。ストップキー８６は、画像読み取り、製版、印刷、計数、用紙搬送等の動作を一旦停止する停止手段として機能する。液晶表示部８７は、タッチパネル式に構成され、種々の設定状態や検知状態が随時表示されるとともに、ユーザが画面に触れることで、表示内容が切り替わり、種々の設定が可能な表示設定手段とそして機能する。
【００５１】
印刷機Ｉの主要な制御構成を説明する。制御装置８９は、それぞれ図示しない、ＣＰＵ（中央演算処理装置）、Ｉ／Ｏ（入出力）ポート、ＲＯＭ（読み出し専用記憶装置）、ＲＡＭ（読み書き可能な記憶装置）およびタイマ等を備え、それらが信号バスによって接続された構成を有するマイクロコンピュータを具備している。制御装置８９は、印刷機本体１内の制御基板配置部に設けられている。
【００５２】
制御装置８９は、操作パネル８１からの各種信号、各種センサからの検知信号ならびに前記ＲＯＭから呼び出された動作プログラムおよび関係データ等に基づいて、各種モータ等の制御対象駆動手段を制御する機能を有する。また、制御装置８９は、原稿の画像読取動作、製版動作、排版動作、給紙動作、排紙動作、印刷動作、計数動作並びに操作パネル８１の液晶表示部８７を制御する機能を有する。
【００５３】
前記ＲＯＭには、印刷機Ｉ全体の動作プログラムや必要な関係データ等が予め記憶されており、この動作プログラムは前記ＣＰＵによって適宜呼び出される。前記ＲＡＭは、前記ＣＰＵの計算結果を一時的に記憶する機能、操作パネル８１上の各種キーおよび各種センサから設定および入力されたデータ信号およびオン／オフ信号を随時記憶する機能等を有している。
【００５４】
また、制御装置８９は、給紙装置２により搬送される用紙Ｐの状態を用紙センサ６６からの信号を基に把握し、該用紙Ｐの計数を行う計数部を備える。更に、制御装置８９は、印刷機本体１の装着部６１に対し、印刷ユニット２５と搬送ユニット７３のいずれが装着されたかを識別する識別手段を備え、この識別手段の識別結果に基づいて、用紙Ｐに印刷する印刷モードと用紙Ｐを計数するのみで印刷することなく下流側へ搬送する計数モードとを切り替えるよう制御する。そして、制御装置８９は、印刷機本体１の係合部材と搬送ユニット７３の被係合部材とが係合することで、印刷機本体１に搬送ユニット７３が装着されたと判断した場合に、用紙Ｐに印刷する印刷モードに替えて、用紙Ｐを計数し印刷することなく下流側へ搬送する計数モードを実行させるよう制御する。
【００５５】
更に、制御装置８９は、印刷モードに替えて計数モードを実行している場合に、操作パネル８１における印刷状態の調整、製版及び排版に関する項目を、選定不可とするよう制御する。印刷状態の調整、製版及び排版に関する項目とは、例えば、画像読み取りの調整、プレビュー、印刷倍率、製版の調整、インクの濃さ、印刷位置、試し刷り、両面印刷等が挙げられる。また、選定不可とするには、各種操作キーまたは液晶表示部８７のタッチキーを操作不能とするか、または液晶表示部８７における各種項目を、非表示または網掛け表示とすることで、これらを選定できないようにする。
【００５６】
よって、例えば、制御装置８９は、計数モードを実行しているときには、製版キー８３、印刷濃さ調整キー９１、印刷位置調整キー９２、テストプリントキー９４等の印刷状態の調整、製版及び排版に関するキーを操作不能とする。また、制御装置８９は、例えば、図７に示すように、液晶表示部８７における原稿種類、倍率、インクの濃さ、天地位置及び幅方向位置の双方を含む印刷位置、原稿サイズ等の印刷状態の調整、製版及び排版に関する項目のタッチキー９５を灰色に塗りつぶすことで網掛け表示する。これより、制御装置８９は、計数モードで使用しない項目を選定できないような表示とする。
【００５７】
これに対して、テンキー８４、スタートキー８５、ストップキー８６、用紙搬送速度調整キー９３等の操作キーは、計数モードを実行中も制御装置８９が操作可能に制御する。また、制御装置８９は、図７に示す液晶表示部８７の枚数・組数の表示、用紙サイズ、その他の設定等のタッチキー９６を、計数モード実行中にも、灰色に塗りつぶすことなくこれらが有効で、選定可能であることを明示する。
【００５８】
また、制御装置８９は、印刷モードに替えて計数モードを実行している場合に、操作パネル８１の初期画面上にショートカットキーの空きがあるとき、図７に示すように間欠搬送のショートカットキー９７を表示するよう制御する。そして、制御装置８９は、該間欠搬送のショートカットキー９７を初期画面上で選定可能とするよう制御する。これより、ユーザーは自ら間欠搬送のショートカットキー９７を作成しなくても該間欠搬送の機能を初期画面上で選定でき、少ないタッチ操作で用紙Ｐの区分けをすることができる。従って、ユーザーが、用紙Ｐの計数を行うとともに計数した用紙Ｐを所定枚数ごとに区分けしたいと考える場合等に、この間欠搬送のショートカットキー９７を選定し、枚数及び組数を設定することで、制御装置９７は用紙Ｐの排紙台２３への排出タイミングを所定枚数毎に所定時間遅らせるよう制御する。
【００５９】
更に、計数モードは、給紙装置２の給紙台３３上に積載された全ての用紙Ｐを計数する積載量計数モードと、操作パネル８１のテンキー８４により入力された設定枚数の用紙Ｐを計数し終えた時点で計数動作を停止する設定量計数モードとを備え、制御装置８９はこれらのモードを実行するよう制御する。
【００６０】
更に、制御装置８９は、計数モードにおける用紙Ｐの搬送速度を、印刷モードにおける搬送速度より、減速及び増速可能に制御する。よって、例えば、封筒等の紙詰まりしやすい種類の用紙の計数を行う場合などに、用紙搬送速度調整キー９３を操作し、印刷モードの最低速度より更に遅い速度となるよう設定することで、制御装置８９は、用紙Ｐを印刷モードの最低速度より更に遅い速度で搬送し、計数を行うよう制御する。また、制御装置８９は、印刷モードの最高速度より更に速い速度で用紙Ｐを搬送し、計数するよう制御することも可能である。
【００６１】
更に、制御装置８９は、計数モードにおける押圧ローラ１２の搬送ドラム７４に対する押圧力を、印刷モードにおける押圧ローラ１２の印刷ドラム１１に対する押圧力のうち最も弱いときと同程度とするよう制御する。また、制御装置８９は、計数モードでは印刷モードより押圧ローラ１２の押圧力を弱くするよう制御することも可能である。
【００６２】
印刷機Ｉの動作を以下に説明する。まず、印刷機Ｉが、印刷ユニット２５を用いて印刷動作を実行する場合について説明する。装着部６１に印刷ユニット２５が装着され、印刷ユニット２５の電気コネクタ５８が、印刷機本体１側の電気コネクタに接続されると、識別手段は、装着部６１に印刷ユニット２５が装着されたと判断し、制御装置８９は、印刷機Ｉのモードを印刷モードとする。そして、製版キー８３が押下されると、周知の一連の孔版印刷動作が実行される。
【００６３】
すなわち、画像読取装置４に原稿がセットされ、製版キー８３が押下されると、先ず画像読み取り工程が実行される。画像読取装置４はＣＣＤ等の画像センサによって原稿を光学的に読み取って電気信号に変換する。この画像読み取り工程と同時に排版工程が実行され、印刷ドラム１１の外周に巻かれた使用済みのマスタが引込みローラ１６によって印刷ドラム１１から剥離され、巻取りローラ１７に巻き取られ回収される。
【００６４】
画像読取装置４により読み取られ電気信号に変換された情報に従って、サーマルヘッド１４の多数の発熱素子が位置選択的に発熱され、原紙Ｎに画像を穿孔して製版し、プラテンローラ２７、原紙搬送ローラ３０の回転によって製版後の原紙Ｎが順次下流側に搬送される。
【００６５】
プラテンローラ２７、原紙搬送ローラ３０を回転駆動する駆動源としてのステッピングモータのステップ数などを基に、製版済みの原紙Ｎの先端部が、拡開している給版待機状態にあるクランプ５４に届いたと制御装置８９が判断すると、図示しない開閉装置によってクランプ５４が閉じられ、これによって製版済みの原紙Ｎの先端部がクランプ５４に挟持される。
【００６６】
そして、駆動装置の駆動により、印刷ドラム１１が図１において反時計回りに回転され、製版済みの原紙Ｎが先端部から順次印刷ドラム１１の外周に巻き付けられる。ステッピングモータのステップ数などにより、１版分の原紙Ｎへの穿孔製版が終了したと制御装置８９が判断すると、プラテンローラ２７、原紙搬送ローラ３０の回転が停止され、製版済みの原紙Ｎの後端が切断具２８によって切断される。これにより、製版済み原紙Ｎがマスターロール１３から切り離され、原紙Ｎの後端は、印刷ドラム１１の更なる回転に伴って印刷ドラムに装着される。
【００６７】
その後、給紙装置２より印刷部５に１枚の用紙Ｐが搬送され、印刷ドラム１１の外周面上の製版済みの原紙Ｎに印刷ドラム１１の内周面からインクを供給し、印刷ドラム１１の外周面に原紙Ｎを密着させる版付印刷工程が実行される。この版付印刷により、印刷ドラム１１の外周面にスクリーン３８、原紙Ｎを介して貼りついた用紙Ｐは、用紙剥離及びインク乾燥用のブローファン６７により印刷ドラム１１から剥がされ、排紙装置３により排出される。
【００６８】
版付印刷工程が終了した後、ユーザは版付印刷物の画質や印刷画像位置の確認を行い、その結果によってテストプリントキー９４を必要量押下し、適宜の試し刷り印刷を行う。そして、ユーザが求める正規の印刷枚数をテンキー８４によって置数・入力してスタートキー８５を押せば、給紙ローラ３１、タイミングローラ１８、印刷ドラム１１、押圧ローラ１２、インクローラ１０、インクポンプ、ブローファン６７、排紙ベルト２１、ファン２２が適宜駆動され、印刷工程が行われる。設定枚数の用紙２への印刷が終了すると印刷動作の全工程が終了する。
【００６９】
次に、本実施形態の印刷機Ｉにおける計数動作を説明する。印刷機Ｉを用いて用紙Ｐの計数を行う際には、ユーザは、装着部６１から印刷ユニット２５を引き出し、替わりに搬送ユニット７３を挿入する。このとき、搬送ユニット７３の一対のドラム支持部材７９が、装着部６１の案内レール６２に案内され、支持されることで、搬送ユニット７３が装着部６１に挿入される。
【００７０】
搬送ユニット７３が装着部６１に装着されると、搬送ドラム７４は、動力伝達機構を介して印刷機本体１側の駆動装置に連結される。また、搬送ユニット７３の電気コネクタ７７と印刷機本体１の電気コネクタとが接続される。これより、識別手段が、装着部６１に搬送ユニット７３が装着されたと判断する。
【００７１】
印刷モードでは、印刷ユニット２５が装着部６１へ装着されるときの印刷ドラム１１の回転角度は、クランプ５４を設けた部分が最も高い位置乃至その近傍となっており、その後の印刷動作では、クランプ５４を設けた部分が排版装置７の引込みローラ１６設置位置に最も近接する位置で回転停止するよう制御装置８９により調整される。これに対し、計数モードにおいては、搬送ドラム７４にはクランプ５４が設けられておらず、その位置調整を行う必要がない。よって、計数動作時においても搬送ユニット７３の装着部６１への装着時の回転角度と同じ回転角度で搬送ドラム７４が回転停止する。これより、搬送ユニット７３の装着部６１への装着から計数動作開始までに要する時間を短縮可能である。
【００７２】
このように識別手段が、搬送ユニット７３が装着されたと判断すると、制御装置８９は、印刷モードに替えて計数モードを実行させるよう制御する。このため印刷機Ｉが、計数工程を実行可能な状態となり、制御装置８９は、操作パネル８１の表示を印刷モードから計数モードに切り替える。計数工程では、印刷動作を行わないので、制御装置８９は操作パネル８１における印刷状態の調整、製版及び排版に関する項目を、選定不可とするよう制御する。一方、印刷状態の調整、製版及び排版に関する項目以外の計数工程においても利用可能な項目ついては、操作パネル８１上で選定できるようになっている。これより、ユーザの誤った操作を防止することができ、印刷機Ｉの誤動作による故障を防止可能である。
【００７３】
ユーザは、計数処理を実行したい用紙Ｐを給紙台３３上に積載する。この場合、給紙台３３上に積載する用紙Ｐは、印刷済みの用紙Ｐであってもよく、未印刷の用紙Ｐであってもよい。また、印刷方法が、孔版印刷により印刷された用紙であってもよく、トナー複写等孔版以外の印刷方法により印刷された用紙であってもよい。更に、用紙の種類はコピー用紙に限定されず、藁半紙、画用紙、カード、葉書等の他、封筒や圧着葉書等の折り畳まれ、或いは重ね合わされ適宜箇所が接着された用紙も含まれる。
【００７４】
図示省略するが、計数モードでは、操作パネル８１の液晶表示部８７に、積載量計数モード及び設定量計数モードのいずれかをユーザが選定するための表示がなされている。ユーザが給紙装置２の給紙台３３上に積載された全ての用紙Ｐを計数したい場合には、積載量計数モードを選定する。また、ユーザが給紙装置２の給紙台３３上に積載された用紙Ｐのうち、所定枚数の用紙Ｐを計数したい場合には、設定枚数計数モードを選定し、計数希望枚数をテンキー８４によって置数・入力する。
【００７５】
その後、ユーザがスタートキー８５を押下すると、制御装置８９は、給紙ローラ３１、タイミングローラ１８、搬送ドラム７４、押圧ローラ１２、排紙ベルト２１、ファン２２を適宜駆動開始する。そして、給紙ローラ３１と捌き板３２により給紙台３３上の用紙Ｐが上から１枚ずつ搬送され、一対のタイミングローラ１８、搬送ドラム７４と押圧ローラ１２によりそれぞれ挟持搬送され、その後排紙ベルト２１上をファン２２に吸引されつつ搬送され、排紙台２３へ順次排出される。
【００７６】
このように、印刷機Ｉは、給紙装置２の給紙台３３上における用紙Ｐを上から１枚ずつ分離して搬送ユニット７３へ搬送し排紙台２３上に下から順番に積載するので、用紙Ｐの積載順を、逆順に積替えることができる。よって、用紙Ｐの積載順序を逆にしたい場合、例えば、ページ番号とは逆順に積載された用紙Ｐを計数処理することで、短時間で容易にページ番号順に積み替えることができる。
【００７７】
計数モードでは、用紙Ｐは印刷されず、搬送ドラム７４に用紙Ｐが貼りつくことがないので、制御装置８９は用紙剥離及びインク乾燥用のブローファン６７を駆動しない。このように、計数モードではブローファン６７を駆動しないことにより、用紙Ｐを搬送ドラム７４と押圧ローラ１２との間に挟み搬送する際における用紙Ｐの波うちを防止し、用紙Ｐに皺が発生するのを抑制可能である。また、この計数モードでは、制御装置８９は、操作パネル８１での天地位置及び幅方向位置の双方を含む印刷位置の項目を選定不可としており、用紙Ｐは用紙搬送方向に直交する幅方向の位置が微調整されることはなく、前記幅方向中央位置で搬送される。
【００７８】
この給紙台３３から排紙台２３までの間における用紙Ｐの搬送状態は、用紙搬送路Ｓの複数箇所に設置された用紙センサ６６によって随時検出され、前側の用紙センサ６６ａが用紙Ｐの後端を検出することで制御装置８９が用紙Ｐの搬送枚数を計数する。このとき、ユーザが、組数等の計数処理の際にも利用可能な各種機能の設定を行った場合には、制御装置８９はそれらの機能を実行する制御を行う。
【００７９】
ユーザが積載量計数モードを選定した場合、給紙台３３上に積載された全ての用紙Ｐを計数した時点で、制御装置８９が、給紙ローラ３１による用紙Ｐの供給を停止するとともに、用紙搬送に関する他の駆動されている部品を停止して、用紙Ｐの計数動作を終了する。また、ユーザが設定枚数計数モードを選定した場合、テンキー８４により入力された設定枚数の用紙Ｐを計数し終えた時点で、計数動作を停止する。
【００８０】
計数モードでの用紙Ｐの搬送枚数は、印刷機Ｉのメンテナンス時に部品交換の要否を判断するための累積動作枚数に加算される。また、各ユーザーの認証番号が記憶されたキーカードを用いる機能を有する印刷機Ｉや、操作パネル８１から入力された個人認識用の暗証番号によりユーザーを認証しなければ印刷が許可されない機能を有する印刷機Ｉについて、印刷動作を行わない計数モードでの用紙搬送枚数は、そのユーザーが印刷を行ったものとしてその搬送枚数がカウントされる。
【００８１】
印刷モードにおいて、機密保持のため、または印刷ドラム１１に原紙Ｎが巻回されていない等不具合が生じるのを回避するのためといった何らかの理由で、印刷動作が禁止または停止されている場合、印刷機Ｉを用いて印刷することができなくなる。しかし、このような印刷機Ｉを用いた印刷ができない状態であっても、印刷ユニット２５を搬送ユニッ７３に差し替えることで、印刷モードから計数モードへ変更することにより、印刷機Ｉを用いて計数可能である。そして、制御装置８９は、計数のみの動作を実行可能とするよう制御する。更に、搬送ユニット７３を再び印刷ユニット２５に差し戻して計数モードから再度印刷モードに変更された場合には、やはり印刷機Ｉを用いた印刷は行えなくなる。
【００８２】
このように、本実施形態にかかる印刷機Ｉは、給紙装置２により搬送される用紙Ｐに印刷しつつ、下流側の排紙装置３へ搬送する印刷部５と、給紙装置２により搬送される用紙Ｐの計数を行う計数部を備えた印刷機において、印刷ドラム１１を備えた印刷ユニット２５と交換することにより、用紙Ｐを印刷することなく排紙装置３へ搬送する搬送ユニット７３を備えたので、大量に印刷され保管されていたチラシや葉書、社内や各クラスへの配布物等の用紙Ｐや、未印刷の用紙Ｐから、所定枚数を計数したい場合、または保管残量を知りたい場合等に、小型でオフィス等にも設置可能な孔版印刷用の印刷機Ｉを用いて用紙Ｐの計数を行うことができる。よって、ユーザは別途計数専用の装置を購入し、設置する必要がなく、コスト、設置スペースの節約が可能である。また、計数作業を手作業で実施する場合に比較して、手間が大幅に軽減されるとともに、短時間でミスすることなく正確に計数できる。また、印刷速度の速い孔版印刷用の印刷機を利用することで、より短時間で用紙Ｐの計数を行うことができる。
【００８３】
また、搬送ユニット７３は、印刷ドラム１１と略同径で、インク通過用孔４７が未形成の搬送ドラム７４を備えたので、印刷ドラム１１の駆動装置及び駆動連結機構を変更することなくそのまま用いて搬送ドラム７４を回転することができ、制御も容易である。よって、印刷機Ｉの基本構成にほとんど変更を加えることなく計数動作を実行できるので、計数動作を付与したことに伴う部品点数の増大を抑えることができる。また、搬送ドラム７４の大きさが印刷ドラム１１より小さい場合に、用紙Ｐが浮き上がるなどして用紙搬送路Ｓから離脱することなく適正に搬送可能である。そして、インク通過用孔４７が未形成なので、用紙Pを汚すことなく計数可能である。
【００８４】
そして、印刷機本体１に対し、印刷ユニット２５と搬送ユニット７３のいずれが装着されたかを識別する識別手段を備え、制御装置８９はこの識別手段の識別結果に基づいて、用紙Ｐに印刷する印刷モードと用紙Ｐを計数し印刷することなく下流側へ搬送する計数モードとを切り替えるよう制御するので、ユーザが印刷モードと計数モードの切り替え設定を操作しなくても自動的にモードが切り替わり、利便性が高い。
【００８５】
更に、搬送ユニット７３は、印刷機本体１に設けられた係合部材に係合可能な被係合部材を備え、制御装置８９は、印刷機本体１の係合部材と搬送ユニット７３の被係合部材とが係合することで、印刷機本体１に搬送ユニット７３が装着されたと判断した場合に、用紙Ｐに印刷する印刷モードに替えて、用紙Ｐを計数し印刷することなく下流側へ搬送する計数モードを実行させるよう制御するので、搬送ユニット７３を印刷機本体１に装着することで、印刷モードから計数モードに自動で切り替わる。
【００８６】
更に、係合部材は、印刷機本体１に設けられた電気コネクタにより構成され、被係合部材は、搬送ユニット７３に設けられた電気コネクタ７７により構成されてなるので、搬送ユニット７３が印刷機本体１に装着された際、印刷機本体１側の電気コネクタと搬送ユニット７３の電気コネクタ７７が接続されることで、容易に印刷機本体１に搬送ユニットが装着されたことを判断可能である。
【００８７】
更に、制御装置８９は、用紙に印刷する印刷モードと、搬送ユニットにより用紙を印刷することなく下流側へ搬送する計数モードとを切り替えるよう制御し、計数モードは、給紙装置２の給紙台３３上に積載された全ての用紙Ｐを計数する積載量計数モードと、設定枚数の用紙Ｐを計数し終えた時点で計数動作を停止する設定量計数モードとを備えたので、給紙台３３上に積載された全用紙Ｐの枚数を計数できるとともに、所定枚数の用紙Ｐを計数することも可能である。
【００８８】
更に、制御装置８９は、計数モードにおける用紙Ｐの搬送速度を、印刷モードにおける搬送速度より、減速及び増速可能に制御するので、計数モードの際によりユーザの希望する用紙搬送速度で用紙を搬送することができる。
【００８９】
制御装置８９は、計数モードにおける搬送ドラム７４に対する押圧ローラ１２の押圧力を、印刷モードにおける印刷ドラム１１に対する押圧ローラ１２の押圧力のうちもっとも弱いときと同程度とするよう制御するので、用紙Ｐが押圧ローラ１２と搬送ドラム７４の間で挟持搬送される際に該用紙Ｐに皺ができる事態を抑制可能である。また、制御装置８９が、計数モードでは印刷モードより押圧ローラ１２の押圧力を弱くするよう制御する場合には、より用紙に皺ができ難くすることができる。尚、この計数モードでは、制御装置８９は、操作パネル８１でのインクの濃さの項目を選定不可としており、ユーザーが押圧ローラ１２の搬送ドラム７４に対する押圧力を強くするよう設定することはできなくなる。
【００９０】
（第２の実施形態）
上記第１の実施形態では、印刷ユニット２５と交換することにより、用紙Ｐを印刷することなく排紙装置３へ搬送する搬送ユニット７３を備えたが、本第２の実施形態では、未製版の原紙Ｎを印刷ドラム１１に装着することにより、用紙Ｐを印刷することなく排紙装置３へ搬送する。これより、ユーザが用紙Ｐを印刷することなく用紙Ｐの計数のみ行いたいとき、装着部６１から、印刷ユニット２５を抜き取らず装着部６１に装着したままで用紙Ｐを計数することができる。
【００９１】
本第２の実施形態の操作パネル８１には、上記第１の実施形態の各構成に加え、図６に破線で示すように、モード選択キー８２が設けられている。モード選択キー８２は、印刷モードと計数モードとのいずれのモードを印刷機Ｉの制御装置８９に実行させるかを選定するモード選定手段として機能する。印刷モードは、用紙に印刷する処理を実行する。計数モードは、用紙Ｐを計数し印刷することなく下流側へ搬送する計数処理を実行する。印刷モード及び計数モードのいずれのモードも印刷ユニット２５が装着部６１に装着された状態において選定可能とされる。制御装置８９は、モード選定手段の選定に基づき印刷部５及び計数部を制御する。
【００９２】
ユーザは、用紙Ｐを印刷したいときには、モード選択キー８２で印刷モードを選定する。印刷モード選定後の印刷動作は、上記第１の実施形態と同様である。また、ユーザが、用紙Ｐを計数したいときには、モード選択キー８２で計数モードを選定する。計数モードが選定されると、制御装置８９は、印刷モードに替えて計数モードを実行させるよう制御する。
【００９３】
そして、ユーザが、操作パネル８１の液晶表示部８７に表示された積載量計数モード及び設定量計数モードのうち、積載量計数モードを選定し、スタートキー８５を押すか、または設定枚数計数モードを選定し、計数希望枚数をテンキー８４によって置数・入力した後、スタートキー８５を押すかのいずれかの操作をすると、制御装置８９は、印刷ドラム１１に巻回された使用済みの原紙Ｎを排版装置７により排版する。
【００９４】
そして、制御装置８９は、マスターロール１３から原紙Ｎを繰り出し、サーマルヘッド１４によって穿孔することなく未製版のままで、プラテンローラ２７、原紙搬送ローラ３０を回転することで下流側に搬送する。未製版の原紙Ｎの先端部は、クランプ５４に挟持され、印刷ドラム１１の回転により、該印刷ドラム１１に装着される。そして、制御装置８９が、給紙ローラ３１、タイミングローラ１８、印刷ドラム１１、押圧ローラ１２、排紙ベルト２１、ファン２２を適宜駆動開始する。用紙Ｐは、用紙搬送路Ｓ上を搬送され、印刷されることなく排紙装置３へ搬送される。このとき、制御装置８９は、用紙剥離及びインク乾燥用のブローファン６７の駆動を停止するとともに、インクポンプの駆動を停止し、印刷ドラム１１内側へのインクの供給を行わないよう制御する。
【００９５】
このように、未製版の原紙Ｎが印刷ドラム１１に装着されるので、用紙Ｐが印刷されず、汚されることなく計数可能である。
【００９６】
また、用紙Ｐに印刷する印刷モードと、用紙Ｐを印刷することなく下流側へ搬送する計数モードとのいずれの処理を実行させるかを、ユーザに選定させるモード選定手段を備え、
制御装置８９は、このモード選定手段の選定に基づき印刷モードと計数モードとを切り替えるよう制御するので、ユーザは印刷機Ｉを用いた用紙Ｐの計数動作を容易に選定することができる。
【００９７】
そして、モード選定手段は、印刷機本体１の操作パネル８１に設けられたので、ユーザは更に容易に計数動作を選定可能である。
【００９８】
制御装置８９は、計数モードにおける押圧ローラ１２の印刷ドラム１１に対する押圧力を、印刷モードにおける押圧力のうちもっとも弱いときと同程度、または印刷モードにおける押圧力より弱くするよう制御する。これより、押圧ローラ１２と印刷ドラム１１の間で用紙Ｐが挟持搬送される際に用紙Ｐに皺ができる事態を抑制可能である。
【００９９】
尚、上記第１の実施形態では、印刷機本体１に対し、印刷ユニット２５と搬送ユニット７３のいずれが装着されたかを識別する識別手段を備えたが、識別手段を備えない構成としてもよい。このように識別手段を設けない場合、ユーザは、印刷ユニットに替えて装着部に搬送ユニットを装着するのみでは、印刷モードから計数モードに切り替わらないので、モード選定手段で印刷モードと計数モードとのいずれの処理を実行させるかを選定選定することで、計数動作を実行させることができる。また、上記第２の実施形態では、モード選定手段は、印刷機本体１の操作パネル８１に設けたが、操作パネル８１に替えて印刷機本体１の他の場所に設けてもよく、印刷ドラムを備えた印刷ユニットに設けてもよい。
【０１００】
計数モードは、給紙装置の給紙台上に積載された全ての用紙を計数する積載量計数モードと、設定枚数の用紙を計数し終えた時点で計数動作を停止する設定量計数モードとの双方を備えたが、いずれか一方のみ備えてもよく、これら以外の他のモードを備えてもよい。また、制御装置８９は、計数モードを実行している場合に、操作パネル８１における印刷状態の調整、製版及び排版に関する項目の全てを、選定不可とするよう制御したが、これらの項目のうちいずれかの項目を選定できるよう制御してもよく、全ての項目を選定可能なままとしてもよい。また、給紙装置２の給紙台３３上における用紙Ｐの積載順を、逆順に積替えて排紙装置３の排紙台２３上に積載したが、例えば、用紙の搬送途中に用紙を反転するなどすることで、積載順が変わらないようにしてもよい。
【０１０１】
また、搬送ユニットは、印刷ドラムと略同径で、インク通過用孔が未形成の搬送ドラムを備えたが、搬送ドラムに替えて、例えば、印刷ドラムとは異なる大きさの搬送ドラムや搬送ローラ、又は搬送ベルト等を設置してもよい。また、制御装置８９は、計数モードにおける用紙Ｐの搬送速度を、印刷モードにおける搬送速度より、減速及び増速可能に制御したが、印刷時の用紙搬送速度より減速するのみ、または増速するのみのいずれか一方のみ可能としてもよく、用紙印刷時の搬送速度と同じ速度で用紙を搬送することとしてもよい。
【符号の説明】
【０１０２】
Ｉ  印刷機
Ｎ  原紙
Ｐ  用紙
１  印刷機本体
２  給紙装置
３  排紙装置
５  印刷部
１１  印刷ドラム
２５  印刷ユニット
４７  インク通過用孔
７３  搬送ユニット
７４  搬送ドラム
８９  制御装置
【図１】
2014097655.tif 000003
【図２】
2014097655.tif 000004
【図３】
2014097655.tif 000005
【図４】
2014097655.tif 000006
【図５】
2014097655.tif 000007
【図６】
2014097655.tif 000008
【図７】
2014097655.tif 000009